(57)【要約】  本願はデータ伝送方法及び端末装置を開示し、該方法は、端末装置が、第１リソースにおいて第１物理アップリンクチャネルを伝送することを前記端末装置に指示する第１シグナリングを受信することと、前記端末装置が、前記第１物理アップリンクチャネルを伝送するための伝送パラメータがプリセット条件を満たすか否かを判断することと、前記伝送パラメータが前記プリセット条件を満たすと、前記端末装置は、グラントフリー伝送に基づくデータである第１類データを前記第１物理アップリンクチャネルにベアリングして伝送することと、を含む。従って、ネットワーク装置がスケジューリングするリソースを判断することで、グラントフリー伝送のデータをネットワーク装置がスケジューリングするリソースにおいて伝送するか、又は、グラントフリー伝送用のリソースにおいて伝送するかを決定し、それにより、アップリンク許可情報を受信し、且つ許可不要な伝送用のリソースが存在する場合、リソースを柔軟に選択して、効果的にデータ伝送を行うことができる。
2021512518.tif 000002
【特許請求の範囲】
【請求項１】
端末装置は、第１リソースにおいて第１物理アップリンクチャネルを伝送することを前記端末装置に指示する第１シグナリングを受信することと、
前記端末装置は、前記第１物理アップリンクチャネルを伝送するための伝送パラメータがプリセット条件を満たすか否かを判断することと、
前記伝送パラメータが前記プリセット条件を満たすと、前記端末装置は、グラントフリー伝送に基づくデータである第１類データを前記第１物理アップリンクチャネルにベアリングして伝送することと、を含むことを特徴とするデータ伝送方法。
【請求項２】
前記第１リソースは第２類データを伝送するためのリソースであり、前記第２類データはスケジューリング伝送に基づくデータであることを特徴とする請求項１に記載の方法。
【請求項３】
前記第１物理アップリンクチャネルの伝送パラメータは、
前記第１物理アップリンクチャネルにベアリングされるデータのビット数、前記第１物理アップリンクチャネルにベアリングされるデータの伝送ブロックサイズ（ＴＢＳ）、前記第１リソースの開始時間領域シンボルの位置、前記第１リソースの末端時間領域シンボルの位置、前記第１物理アップリンクチャネルの占有する時間領域長さ、及び前記第１物理アップリンクチャネルにベアリングされる第２類データが初めて伝送されるデータであるか否かのこと、のうちの少なくとも１つを含むことを特徴とする請求項１又は２に記載の方法。
【請求項４】
前記伝送パラメータが前記プリセット条件を満たさないと、前記端末装置は、第２リソースにおいて伝送される物理アップリンクチャネルである第２物理アップリンクチャネルに前記第１類データをベアリングして伝送することを更に含むことを特徴とする請求項１〜３のいずれか１項に記載の方法。
【請求項５】
前記端末装置が前記第１物理アップリンクチャネルを伝送しないことを更に含むことを特徴とする請求項４に記載の方法。
【請求項６】
前記第１物理アップリンクチャネル及び前記第２物理アップリンクチャネルの同時送信に用いる総電力が制限されると、前記方法は、
前記端末装置が前記第１物理アップリンクチャネルを伝送しないこと、又は、
前記端末装置が前記第１物理アップリンクチャネルを伝送するための電力を低下させ、低下後の電力で前記第１物理アップリンクチャネルを伝送することを更に含むことを特徴とする請求項４に記載の方法。
【請求項７】
前記端末装置が前記第１類データを第２物理アップリンクチャネルにベアリングして伝送する前に、前記方法は、
前記端末装置は前記第２リソースを指示するための第２シグナリングを受信することを更に含むことを特徴とする請求項４〜６のいずれか１項に記載の方法。
【請求項８】
前記プリセット条件は、
前記第１物理アップリンクチャネルにベアリングされるデータのビット数が前記第１類データのビット数以上であること、
前記第１物理アップリンクチャネルにベアリングされるデータのＴＢＳが前記第１類データのＴＢＳ以上であること、
前記第１リソースの開始時間領域シンボルの位置と第２リソースの開始時間領域シンボルの位置との間が第１位置関係を満たすこと、
前記第１リソースの末端時間領域シンボルの位置と前記第２リソースの末端時間領域シンボルの位置との間が第２位置関係を満たすこと、
前記第１物理アップリンクチャネルの時間領域長さと前記第２物理アップリンクチャネルの時間領域長さとの間が第１長さ関係を満たすこと、
前記第１物理アップリンクチャネルにベアリングされる第２類データが初めて伝送されるデータであること、のうちの少なくとも１つを含むことを特徴とする請求項１〜７のいずれか１項に記載の方法。
【請求項９】
前記第１位置関係は、
前記第１リソースの開始時間領域シンボルの位置と前記第２リソースの開始時間領域シンボルの位置が同じであること、
前記第１リソースの開始時間領域シンボルの位置が前記第２リソースの開始時間領域シンボルの位置の前に位置し、且つ前記第１リソースの開始時間領域シンボルと前記第２リソースの開始時間領域シンボルとの間の時間差が第１閾値以下であること、
前記第１リソースの開始時間領域シンボルの位置が前記第２リソースの開始時間領域シンボルの位置の後に位置すること、
前記第１リソースの開始時間領域シンボルの位置が前記第２リソースの開始時間領域シンボルの位置の後に位置し、且つ前記第１リソースの開始時間領域シンボルと前記第２リソースの開始時間領域シンボルとの間の時間差の絶対値が第２閾値以下であること、のうちのいずれかを含むことを特徴とする請求項８に記載の方法。
【請求項１０】
前記第２位置関係は、
前記第１リソースの末端時間領域シンボルの位置と前記第２リソースの末端時間領域シンボルの位置が同じであること、
前記第１リソースの末端時間領域シンボルの位置が前記第２リソースの末端時間領域シンボルの位置の後に位置し、且つ前記第１リソースの末端時間領域シンボルと前記第２リソースの末端時間領域シンボルとの間の時間差が第３閾値以下であること、
前記第１リソースの末端時間領域シンボルの位置が前記第２リソースの末端時間領域シンボルの位置の前に位置すること、
前記第１リソースの末端時間領域シンボルの位置が前記第２リソースの末端時間領域シンボルの位置の前に位置し、且つ前記第１リソースの末端時間領域シンボルと前記第２リソースの末端時間領域シンボルとの間の時間差の絶対値が第４閾値以下であること、のうちのいずれかを含むことを特徴とする請求項８又は９に記載の方法。
【請求項１１】
前記第１長さ関係は、
前記第１物理アップリンクチャネルの時間領域長さと前記第２物理アップリンクチャネルの時間領域長さが同じであること、
前記第１物理アップリンクチャネルの時間領域長さと前記第２物理アップリンクチャネルの時間領域長さとの差が第５閾値以上であって第６閾値以下であること、のうちのいずれかを含むことを特徴とする請求項８〜１０のいずれか１項に記載の方法。
【請求項１２】
前記方法は、
前記端末装置は閾値情報を指示するための指示情報を受信すること、又は、
前記端末装置は前記端末装置に予め記憶される前記閾値情報を取得することを更に含み、
前記閾値情報は、第１閾値、第２閾値、第３閾値、第４閾値、第５閾値及び第６閾値のうちの少なくとも１つを含むことを特徴とする請求項９〜１１のいずれか１項に記載の方法。
【請求項１３】
前記第１物理アップリンクチャネルにベアリングされるデータのビット数が前記第１類データのビット数以上であり、又は、前記第１物理アップリンクチャネルにベアリングされるデータのＴＢＳが前記第１類データのＴＢＳ以上であると、前記端末装置が前記第１類データを前記第１物理アップリンクチャネルにベアリングして伝送することは、
前記端末装置が前記第１類データと第２類データを前記第１物理アップリンクチャネルに同時にベアリングして伝送することを含むことを特徴とする請求項１〜１０のいずれか１項に記載の方法。
【請求項１４】
端末装置であって、
第１リソースにおいて第１物理アップリンクチャネルを伝送することを前記端末装置に指示する第１シグナリングを受信することに用いられる受送信ユニットと、
前記第１物理アップリンクチャネルを伝送するための伝送パラメータがプリセット条件を満たすか否かを判断することに用いられる処理ユニットと、を備え、
前記受送信ユニットは更に、前記伝送パラメータが前記プリセット条件を満たすと、グラントフリー伝送に基づくデータである第１類データを前記第１物理アップリンクチャネルにベアリングして伝送することに用いられることを特徴とする端末装置。
【請求項１５】
前記第１リソースは第２類データを伝送するためのリソースであり、前記第２類データはスケジューリング伝送に基づくデータであることを特徴とする請求項１４に記載の端末装置。
【請求項１６】
前記第１物理アップリンクチャネルの伝送パラメータは、
前記第１物理アップリンクチャネルにベアリングされるデータのビット数、前記第１物理アップリンクチャネルにベアリングされるデータの伝送ブロックサイズ（ＴＢＳ）、前記第１リソースの開始時間領域シンボルの位置、前記第１リソースの末端時間領域シンボルの位置、前記第１物理アップリンクチャネルの占有する時間領域長さ、及び前記第１物理アップリンクチャネルにベアリングされる第２類データが初めて伝送されるデータであるか否かのこと、のうちの少なくとも１つを含むことを特徴とする請求項１４又は１５に記載の端末装置。
【請求項１７】
前記受送信ユニットは更に、
前記伝送パラメータが前記プリセット条件を満たさないと、第２リソースにおいて伝送される物理アップリンクチャネルである第２物理アップリンクチャネルに前記第１類データをベアリングして伝送することに用いられることを特徴とする請求項１４〜１６のいずれか１項に記載の端末装置。
【請求項１８】
前記受送信ユニットは更に、
前記第１物理アップリンクチャネルを伝送しないことに用いられることを特徴とする請求項１７に記載の端末装置。
【請求項１９】
前記第１物理アップリンクチャネル及び前記第２物理アップリンクチャネルの同時送信に用いる総電力が制限されると、前記受送信ユニットは更に、
前記第１物理アップリンクチャネルを伝送しないこと、又は、
前記第１物理アップリンクチャネルを伝送するための電力を低下させ、低下後の電力で前記第１物理アップリンクチャネルを伝送することに用いられることを特徴とする請求項１７に記載の端末装置。
【請求項２０】
前記受送信ユニットは更に、
前記第２リソースを指示するための第２シグナリングを受信することに用いられることを特徴とする請求項１７〜１９のいずれか１項に記載の端末装置。
【請求項２１】
前記プリセット条件は、
前記第１物理アップリンクチャネルにベアリングされるデータのビット数が前記第１類データのビット数以上であること、
前記第１物理アップリンクチャネルにベアリングされるデータのＴＢＳが前記第１類データのＴＢＳ以上であること、
前記第１リソースの開始時間領域シンボルの位置と第２リソースの開始時間領域シンボルの位置との間が第１位置関係を満たすこと、
前記第１リソースの末端時間領域シンボルの位置と前記第２リソースの末端時間領域シンボルの位置との間が第２位置関係を満たすこと、
前記第１物理アップリンクチャネルの時間領域長さと前記第２物理アップリンクチャネルの時間領域長さとの間が第１長さ関係を満たすこと、
前記第１物理アップリンクチャネルにベアリングされる第２類データが初めて伝送されるデータであること、のうちの少なくとも１つを含むことを特徴とする請求項１４〜２０のいずれか１項に記載の端末装置。
【請求項２２】
前記第１位置関係は、
前記第１リソースの開始時間領域シンボルの位置と前記第２リソースの開始時間領域シンボルの位置が同じであること、
前記第１リソースの開始時間領域シンボルの位置が前記第２リソースの開始時間領域シンボルの位置の前に位置し、且つ前記第１リソースの開始時間領域シンボルと前記第２リソースの開始時間領域シンボルとの間の時間差が第１閾値以下であること、
前記第１リソースの開始時間領域シンボルの位置が前記第２リソースの開始時間領域シンボルの位置の後に位置すること、
前記第１リソースの開始時間領域シンボルの位置が前記第２リソースの開始時間領域シンボルの位置の後に位置し、且つ前記第１リソースの開始時間領域シンボルと前記第２リソースの開始時間領域シンボルとの間の時間差の絶対値が第２閾値以下であること、のうちのいずれかを含むことを特徴とする請求項２１に記載の端末装置。
【請求項２３】
前記第２位置関係は、
前記第１リソースの末端時間領域シンボルの位置と前記第２リソースの末端時間領域シンボルの位置が同じであること、
前記第１リソースの末端時間領域シンボルの位置が前記第２リソースの末端時間領域シンボルの位置の後に位置し、且つ前記第１リソースの末端時間領域シンボルと前記第２リソースの末端時間領域シンボルとの間の時間差が第３閾値以下であること、
前記第１リソースの末端時間領域シンボルの位置が前記第２リソースの末端時間領域シンボルの位置の前に位置すること、
前記第１リソースの末端時間領域シンボルの位置が前記第２リソースの末端時間領域シンボルの位置の前に位置し、且つ前記第１リソースの末端時間領域シンボルと前記第２リソースの末端時間領域シンボルとの間の時間差の絶対値が第４閾値以下であること、のうちのいずれかを含むことを特徴とする請求項２１又は２２に記載の端末装置。
【請求項２４】
前記第１長さ関係は、
前記第１物理アップリンクチャネルの時間領域長さと前記第２物理アップリンクチャネルの時間領域長さが同じであること、
前記第１物理アップリンクチャネルの時間領域長さと前記第２物理アップリンクチャネルの時間領域長さとの差が第５閾値以上であって第６閾値以下であること、のうちのいずれかを含むことを特徴とする請求項２１〜２３のいずれか１項に記載の端末装置。
【請求項２５】
前記処理ユニットは更に、
前記受送信ユニットによって、閾値情報を指示するための指示情報を受信すること、又は、前記端末装置に予め記憶される前記閾値情報を取得することに用いられ、
前記閾値情報は、第１閾値、第２閾値、第３閾値、第４閾値、第５閾値及び第６閾値のうちの少なくとも１つを含むことを特徴とする請求項２２〜２４のいずれか１項に記載の端末装置。
【請求項２６】
前記第１物理アップリンクチャネルにベアリングされるデータのビット数が前記第１類データのビット数以上であり、又は、前記第１物理アップリンクチャネルにベアリングされるデータのＴＢＳが前記第１類データのＴＢＳ以上であると、前記受送信ユニットは具体的に、
前記第１類データと第２類データを前記第１物理アップリンクチャネルに同時にベアリングして伝送することに用いられることを特徴とする請求項１４〜２５のいずれか１項に記載の端末装置。
【発明の詳細な説明】
【技術分野】
【０００１】
本願の実施例は無線通信分野に関し、より具体的に、データ伝送方法及び端末装置に関する。
【背景技術】
【０００２】
５Ｇシステムでは、スケジューリングに基づく（ｇｒａｎｔ  ｂａｓｅｄ）アップリンク伝送及びグラントフリー（ｇｒａｎｔ  ｆｒｅｅ）アップリンク伝送を同時にサポートする。スケジューリングに基づくアップリンク伝送に対して、基地局は端末装置にアップリンク許可情報（Ｕｐｌｉｎｋ  Ｇｒａｎｔ、ＵＬ  Ｇｒａｎｔ）を送信して物理アップリンクチャネルの伝送をスケジューリングすることができ、グラントフリーアップリンク伝送に対して、端末装置は基地局のスケジューリングを待たずに、予め設定されるリソースを用いて直接にアップリンク伝送を行うことができる。
【０００３】
端末装置がスケジューリングに基づくアップリンク伝送をサポートしつつ、グラントフリーアップリンク伝送もサポートする場合、同一の時間領域リソースにおいてＵＬ  Ｇｒａｎｔを受信したが、グラントフリー伝送用のリソースも存在すると、端末装置は効果的にデータ伝送を行うことができない。
【発明の概要】
【発明が解決しようとする課題】
【０００４】
本願の実施例はデータ伝送方法及び端末装置を提供し、端末装置は適切な伝送方式を効果的に選択でき、それにより、ネットワーク装置によりスケジューリングするリソース、又は、グラントフリー伝送を行うためのリソースにおいて、グラントフリー伝送に基づくデータを伝送する。
【課題を解決するための手段】
【０００５】
第１形態ではデータ伝送方法を提供し、
端末装置は、第１リソースにおいて第１物理アップリンクチャネルを伝送することを前記端末装置に指示する第１シグナリングを受信することと、
前記端末装置は、前記第１物理アップリンクチャネルを伝送するための伝送パラメータがプリセット条件を満たすか否かを判断することと、
前記伝送パラメータが前記プリセット条件を満たすと、前記端末装置は、グラントフリー伝送に基づくデータである第１類データを前記第１物理アップリンクチャネルにベアリングして伝送することと、を含む。
【０００６】
従って、該端末装置はネットワーク装置がスケジューリングするリソースを判断することで、伝送待ちのグラントフリー伝送に基づくデータを、ネットワーク装置がスケジューリングするリソースにおいて伝送するか、又は、グラントフリー伝送用のリソースにおいて伝送するかを決定し、それにより、該端末装置はアップリンク許可情報を受信し、且つ許可不要な伝送用のリソースが存在する場合、リソースを柔軟に選択して、データ伝送を効果的に行うことができ、それにより、遅延が低く信頼性が高いサービス伝送のニーズを満たす。
【０００７】
１つの可能な実施形態では、前記第１リソースは第２類データを伝送するためのリソースであり、前記第２類データはスケジューリング伝送に基づくデータである。
【０００８】
例えば、該第１シグナリングはネットワーク装置が端末装置に送信したアップリンク許可情報（ＵＬ  Ｇｒａｎｔ）であってもよく、それにより、端末装置が該アップリンク許可情報の指示するリソースを用いてデータを送信するようにスケジューリングする。該アップリンク許可情報が指示するリソースは、例えば、時間周波数領域リソース、参照シンボル情報、変調符号化方式、電力制御パラメータ等のリソース情報を含んでもよい。
【０００９】
１つの可能な実施形態では、前記第１物理アップリンクチャネルの伝送パラメータは、前記第１物理アップリンクチャネルにベアリングされるデータのビット数、前記第１物理アップリンクチャネルにベアリングされるデータの伝送ブロックサイズ（ＴＢＳ）、前記第１リソースの開始時間領域シンボルの位置、前記第１リソースの末端時間領域シンボルの位置、前記第１物理アップリンクチャネルの占有する時間領域長さ、及び前記第１物理アップリンクチャネルにベアリングされる第２類データが初めて伝送されるデータであるか否かのこと、のうちの少なくとも１つを含む。
【００１０】
ここで、該第１物理アップリンクチャネルにベアリングされるデータのビット数とは、ネットワーク装置が元々スケジューリングしようとするデータのビット数を指し、即ち、第１シグナリングが指示する該第１物理アップリンクチャネルにベアリングされるデータのビット数である。該第１物理アップリンクチャネルにベアリングされるデータのＴＢＳとは、ネットワーク装置が元々スケジューリングしようとするデータのＴＢＳを指し、即ち、第１シグナリングが指示する該第１物理アップリンクチャネルにベアリングされるデータのＴＢＳである。該第１物理アップリンクチャネルにベアリングされる第２類データが初めて伝送されるデータであるか否かとは、ネットワーク装置の元々スケジューリングしようとする第２類データが初めて伝送されるデータであるか否かである。
【００１１】
１つの可能な実施形態では、前記方法は、前記伝送パラメータが前記プリセット条件を満たさないと、前記端末装置は、第２リソースにおいて伝送される物理アップリンクチャネルである第２物理アップリンクチャネルに前記第１類データをベアリングして伝送することを更に含む。
【００１２】
具体的に、該端末装置は、第１物理アップリンクチャネルの伝送パラメータがプリセット条件を満たさないと判断すると、第１類データを伝送するための第２リソースから、第２物理アップリンクチャネルを選択して、伝送待ちの第１類データを該第２物理アップリンクチャネルにベアリングして伝送する。一方で、該端末装置は、該第１物理アップリンクチャネルの伝送パラメータがプリセット条件を満たすと判断すると、伝送待ちの該第１類データを第１シグナリングの指示する該第１物理アップリンクチャネルにベアリングして伝送することができる。
【００１３】
１つの可能な実施形態では、前記方法は、前記端末装置が前記第１物理アップリンクチャネルを伝送しないことを更に含む。
【００１４】
１つの可能な実施形態では、前記第１物理アップリンクチャネル及び前記第２物理アップリンクチャネルの同時送信に用いる総電力が制限されると、前記方法は、前記端末装置が前記第１物理アップリンクチャネルを伝送しないこと、又は、前記端末装置は前記第１物理アップリンクチャネルを伝送するための電力を低下させ、低下後の電力で前記第１物理アップリンクチャネルを伝送することを更に含む。
【００１５】
すなわち、該第１物理アップリンクチャネルの伝送パラメータがプリセット条件を満たさないと、該端末装置は第２リソースにおける第２物理アップリンクチャネルで該第１類データを伝送し、このとき、該第１類データの正常伝送を優先に確保するために、該端末装置は一応第１物理アップリンクチャネルを伝送せず、又は、低い電力で該第１物理アップリンクチャネルを伝送することができる。
【００１６】
１つの可能な実施形態では、前記端末装置が前記第１類データを第２物理アップリンクチャネルにベアリングして伝送する前に、前記方法は、前記端末装置は前記第２リソースを指示するための第２シグナリングを受信することを更に含む。
【００１７】
１つの可能な実施形態では、前記プリセット条件は、
前記第１物理アップリンクチャネルにベアリングされるデータのビット数が前記第１類データのビット数以上であること、
前記第１物理アップリンクチャネルにベアリングされるデータのＴＢＳが前記第１類データのＴＢＳ以上であること、
前記第１リソースの開始時間領域シンボルの位置と第２リソースの開始時間領域シンボルの位置との間が第１位置関係を満たすこと、
前記第１リソースの末端時間領域シンボルの位置と前記第２リソースの末端時間領域シンボルの位置との間が第２位置関係を満たすこと、
前記第１物理アップリンクチャネルの時間領域長さと前記第２物理アップリンクチャネルの時間領域長さとの間が第１長さ関係を満たすこと、
前記第１物理アップリンクチャネルにベアリングされる第２類データが初めて伝送されるデータであること、のうちの少なくとも１つを含む。
【００１８】
１つの可能な実施形態では、前記第１位置関係は、
前記第１リソースの開始時間領域シンボルの位置と前記第２リソースの開始時間領域シンボルの位置が同じであること、
前記第１リソースの開始時間領域シンボルの位置が前記第２リソースの開始時間領域シンボルの位置の前に位置し、且つ前記第１リソースの開始時間領域シンボルと前記第２リソースの開始時間領域シンボルとの間の時間差が第１閾値以下であること、
前記第１リソースの開始時間領域シンボルの位置が前記第２リソースの開始時間領域シンボルの位置の後に位置すること、
前記第１リソースの開始時間領域シンボルの位置が前記第２リソースの開始時間領域シンボルの位置の後に位置し、且つ前記第１リソースの開始時間領域シンボルと前記第２リソースの開始時間領域シンボルとの間の時間差の絶対値が第２閾値以下であること、のうちのいずれかを含む。
【００１９】
１つの可能な実施形態では、前記第２位置関係は、
前記第１リソースの末端時間領域シンボルの位置と前記第２リソースの末端時間領域シンボルの位置が同じであること、
前記第１リソースの末端時間領域シンボルの位置が前記第２リソースの末端時間領域シンボルの位置の後に位置し、且つ前記第１リソースの末端時間領域シンボルと前記第２リソースの末端時間領域シンボルとの間の時間差が第３閾値以下であること、
前記第１リソースの末端時間領域シンボルの位置が前記第２リソースの末端時間領域シンボルの位置の前に位置すること、
前記第１リソースの末端時間領域シンボルの位置が前記第２リソースの末端時間領域シンボルの位置の前に位置し、且つ前記第１リソースの末端時間領域シンボルと前記第２リソースの末端時間領域シンボルとの間の時間差の絶対値が第４閾値以下であること、のうちのいずれかを含む。
【００２０】
１つの可能な実施形態では、前記第１長さ関係は、前記第１物理アップリンクチャネルの時間領域長さと前記第２物理アップリンクチャネルの時間領域長さが同じであること、前記第１物理アップリンクチャネルの時間領域長さと前記第２物理アップリンクチャネルの時間領域長さとの差が第５閾値以上であって第６閾値以下であること、のうちのいずれかを含む。
【００２１】
１つの可能な実施形態では、前記方法は、
前記端末装置は閾値情報を指示するための指示情報を受信すること、又は、
前記端末装置は前記端末装置に予め記憶される前記閾値情報を取得することを更に含み、
前記閾値情報は、第１閾値、第２閾値、第３閾値、第４閾値、第５閾値及び第６閾値のうちの少なくとも１つを含む。
【００２２】
１つの可能な実施形態では、前記第１物理アップリンクチャネルにベアリングされるデータのビット数が前記第１類データのビット数以上であり、又は、前記第１物理アップリンクチャネルにベアリングされるデータのＴＢＳが前記第１類データのＴＢＳ以上であると、前記端末装置が前記第１類データを前記第１物理アップリンクチャネルにベアリングして伝送することは、前記端末装置が前記第１類データと第２類データを前記第１物理アップリンクチャネルに同時にベアリングして伝送することを含む。
【００２３】
第２形態では、上記第１形態又は第１形態のいずれかの選択可能な実施形態における端末装置の操作を実行可能な端末装置を提供する。具体的に、該端末装置は上記第１形態又は第１形態のいずれかの可能な実施形態における端末装置の操作を実行するためのモジュールユニットを備えてもよい。
【００２４】
第３形態では、プロセッサ、送受信機及びメモリを備える端末装置を提供する。該プロセッサ、送受信機及びメモリの間には内部接続通路を介して相互に通信する。該メモリは命令を記憶することに用いられ、該プロセッサは該メモリに記憶される命令を実行することに用いられる。該プロセッサが該メモリに記憶される命令を実行するとき、該実行によって該端末装置に第１形態又は第１形態のいずれかの可能な実施形態における方法を実行させ、又は、該実行によって該端末装置に第２形態に係る端末装置を実現させる。
【００２５】
第４形態では、プログラムが記憶されるコンピュータ可読記憶媒体を提供し、前記プログラムは端末装置に上記第１形態、及びその様々な実施形態におけるいずれかのデータ伝送方法を実行させる。
【００２６】
第５形態では、入力インターフェース、出力インターフェース、プロセッサ及びメモリを備えるシステムチップを提供し、該プロセッサは該メモリに記憶される命令を実行することに用いられ、該命令が実行されるとき、該プロセッサは前述第１形態又は第１形態のいずれかの可能な実施形態における方法を実現できる。
【００２７】
第６形態では、命令を含むコンピュータプログラム製品を提供し、前記コンピュータプログラム製品がコンピュータで実行するとき、該コンピュータに上記第１形態又は第１形態のいずれかの可能な実施形態における方法を実行させる。
【図面の簡単な説明】
【００２８】
【図１】図１は本願の実施例の応用シーンのアーキテクチャ模式図である。
【図２】図２は本願の実施例のデータ伝送方法の模式的なフローチャートである。
【図３】図３は本願の実施例の第１リソースと第２リソースの模式図である。
【図４】図４は本願の実施例の第１リソースと第２リソースの他の模式図である。
【図５】図５は本願の実施例の端末装置の模式的なブロック図である。
【図６】図６は本願の実施例の端末装置の構造模式図である。
【図７】図７は本願の実施例のシステムチップの構造模式図である。
【発明を実施するための形態】
【００２９】
以下、図面を参照しながら、本願の実施例における技術案について説明する。
【００３０】
なお、本願の実施例の技術案は様々な通信システム、例えば、移動体通信用グローバル（Ｇｌｏｂａｌ  Ｓｙｓｔｅｍ  ｏｆ  Ｍｏｂｉｌｅ  Ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、及び将来の５Ｇ通信システム等に適用される。
【００３１】
本願は端末装置を参照しながら各実施例について説明する。端末装置とはユーザー装置（Ｕｓｅｒ  Ｅｑｕｉｐｍｅｎｔ、ＵＥ）、アクセス端末、加入者ユニット、加入者サイト、移動サイト、移動局、遠隔局、遠隔端末、移動装置、ユーザー端末、端末、無線通信装置、ユーザーエージェント又はユーザーデバイスを指してもよい。アクセス端末はセルラーホン、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、計算装置又は無線モデムに接続される他の処理装置、車載装置、ウェアラブルデバイス、将来の５Ｇネットワークにおける端末装置、又は将来進化のパブリックランドモバイルネットワーク（Ｐｕｂｌｉｃ  Ｌａｎｄ  Ｍｏｂｉｌｅ  Ｎｅｔｗｏｒｋ、ＰＬＭＮ）における端末装置等であってもよい。
【００３２】
本願はネットワーク装置を参照しながら各実施例を説明する。ネットワーク装置は端末装置と通信するための装置であってもよく、例えば、ＧＳＭシステム又はＣＤＭＡにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、更にＬＴＥシステムにおける進化型基地局（Ｅｖｏｌｕｔｉｏｎａｌ  Ｎｏｄｅ  Ｂ、ｅＮＢ又はｅＮｏｄｅＢ）であってもよく、或いは、該ネットワーク装置は中継局、アクセスポイント、車載装置、ウェアラブルデバイス及び将来の５Ｇネットワークにおけるネットワーク側装置又は将来進化のＰＬＭＮネットワークにおけるネットワーク側装置等であってもよい。
【００３３】
図１は本願の実施例の応用シーンの模式図である。図１における通信システムはネットワーク装置１０と端末装置２０を備えてもよい。ネットワーク装置１０は端末装置２０に通信サービスを提供してコアネットワークに接続することに用いられ、端末装置２０はネットワーク装置１０から送信された同期信号、ブロードキャスト信号等を検索することでネットワークにアクセスして、ネットワークと通信することができる。図１に示される矢印は、端末装置２０とネットワーク装置１０との間のセルラーリンクによって行われるアップリング／ダウンリンク伝送を示すことができる。
【００３４】
本願の実施例におけるネットワークとは、パブリックランドモバイルネットワーク（Ｐｕｂｌｉｃ  Ｌａｎｄ  Ｍｏｂｉｌｅ  Ｎｅｔｗｏｒｋ、ＰＬＭＮ）、又はデバイスツーデバイス（Ｄｅｖｉｃｅ  ｔｏ  Ｄｅｖｉｃｅ、Ｄ２Ｄ）ネットワーク、又はマシンツーマシン／マン（Ｍａｃｈｉｎｅ  ｔｏ  Ｍａｃｈｉｎｅ／Ｍａｎ、Ｍ２Ｍ）ネットワーク、又は他のネットワークを指してもよく、図１は簡略化した例示的な模式図であり、ネットワークは他の端末装置を備えてもよく、図１に示されていない。
【００３５】
５Ｇシステムには、多くの特殊なサービスタイプ、例えば低遅延・高信頼サービス（Ｕｌｔｒａ  Ｒｅｌｉａｂｌｅ  ＆  Ｌｏｗ  Ｌａｔｅｎｃｙ  Ｃｏｍｍｕｎｉｃａｔｉｏｎ、ＵＲＬＬＣ）が導入される。ＵＲＬＬＣサービスの特徴は、非常に短い（例えば１ｍｓ）遅延内に非常に高い確実性（例えば９９．９９９％）の伝送を達成することである。この目標を達成するために、グラントフリー伝送（Ｇｒａｎｔ  ｆｒｅｅ）を提案して、遅延が低く信頼性が高いサービス伝送ニーズを満たす。当業者であれば分かるように、グラントフリー伝送は他の名称と呼ばれてもよく、例えば非スケジューリング伝送、無スケジューリング伝送、許可不要な伝送等と呼ばれる。
【００３６】
本願の実施例では、前記データはサービスデータ又はシグナリングデータを含んでもよい。グラントフリー伝送用の伝送リソースは、
無線フレーム、サブフレーム、シンボル等の時間領域リソース、
サブキャリア、リソースブロック等の周波数領域リソース、
送信アンテナ、ビーム等の空間領域リソース、
スパースコード多重アクセス（Ｓｐａｒｓｅ  Ｃｏｄｅ  Ｍｕｌｔｉｐｌｅ  Ａｃｃｅｓｓ、「ＳＣＭＡ」と略称される）コードブックグループ、低密度シグネチャ（Ｌｏｗ  Ｄｅｎｓｉｔｙ  Ｓｉｇｎａｔｕｒｅ、「ＬＤＳ」と略称される）グループ、ＣＤＭＡコードグループ等のコードドメインリソース、
アップリンクパイロット周波数リソース、
ハイバードリソース、
チャネルコーディング方式、のうちの１種又は複数種の組合せを含むがこれらに限られない。
【００３７】
以上のような伝送リソースは、アップリンク送信電力上限制御等のアップリンク電力制御、伝送ブロックサイズ、ビットレート、変調次数の設定等の変調符号化方式の設定、ハイブリッド自動再送要求（Ｈｙｂｉｒｄ  Ａｕｔｏｍａｔｉｃ  Ｒｅｐｅａｔ  ｒｅＱｕｅｓｔ、「ＨＡＲＱ」と略称される）メカニズム等の再伝送メカニズムを含むがそれらに限らない制御メカニズムに基づいて伝送されてもよい。
【００３８】
グラントフリー伝送は、予め設定された又は半持続状態のリソース設定方式を用い、端末装置は送信する必要があるアップリンクデータを有する場合、基地局のスケジューリングを待たずに、予め設定されたリソースでアップリンクデータを直接に送信することができる。グラントフリー伝送はリソース要求（Ｓｃｈｅｄｕｌｅ  Ｒｅｑｕｅｓｔ、ＳＲ）及びバッファステータスレポート（Ｂｕｆｆｅｒ  Ｓｔａｔｕｓ  Ｒｅｐｏｒｔ、ＢＳＲ）等のプロセスを省略して、端末装置の有効な伝送時間を増加させる。
【００３９】
現在、グラントフリー伝送の設定方式はタイプ１（Ｔｙｐｅ  １）及びタイプ２（Ｔｙｐｅ  ２）の２種のタイプを有する。Ｔｙｐｅ１は無線リソース制御（Ｒａｄｉｏ  Ｒｅｓｏｕｒｃｅ  Ｃｏｎｔｒｏｌ、ＲＲＣ）シグナリングで、グラントフリー伝送用のリソースを半静的に設定し、該リソースは少なくとも時間周波数領域リソース、参照シンボル情報、変調符号化方式、電力制御パラメータ等を含む。Ｔｙｐｅ２はＲＲＣシグナリングと物理層シグナリングとの組合せの方法を用い、グラントフリー伝送用のリソースを半静的に設定し、又は動的にアクティベーション／ディアクティベーションして設定し、ＲＲＣシグナリングで設定するリソースは少なくとも、時間領域リソースサイクル及び電力制御パラメータ等を含み、物理層シグナリングで設定するリソースは少なくとも周波数領域リソース、参照シンボル情報、変調符号化方式等を含む。
【００４０】
また、５Ｇシステムではスケジューリングに基づくアップリンクデータの伝送を依然としてサポートする。端末装置が基地局スケジューリングに基づく伝送方式をサポートし、即ち、基地局が端末装置にＵＬ  ｇｒａｎｔを送信してデータ伝送をスケジューリングし、同時に、グラントフリー伝送に基づく伝送方式もサポートする場合、基地局がグラントフリー伝送のデータの送信状況を予め把握できないため、グラントフリー伝送（ｇｒａｎｔ  ｆｒｅｅ）及びスケジューリングに基づく伝送（ｇｒａｎｔ−ｂａｓｅｄ）を同時にサポートする端末装置は、同じ時間領域リソースにおいて、対応するＵＬ  ｇｒａｎｔスケジューリングのリソース情報を受信するが、グラントフリー伝送を実行可能なグラントフリー伝送用のリソースも存在する場合、端末装置はどのリソースを用いるかが分からず、データ伝送を効果的に行うことができない。
【００４１】
本願の実施例は、ネットワーク装置がスケジューリングするリソースを判断することで、伝送待ちのグラントフリー伝送に基づくデータをネットワーク装置のスケジューリングするリソースにおいて伝送するか、又は、グラントフリー伝送用のリソースにおいて伝送するかを決定する。ネットワーク装置がスケジューリングするリソースでのデータ伝送は信頼性及び効率が高いため、該端末装置はアップリンク許可情報を受信し、且つ伝送待ちの許可不要な伝送に基づくデータが存在すると、信頼的で効果的な方式でデータ伝送を行うことができ、それにより遅延が低く信頼性が高いサービス伝送ニーズを満たす。
【００４２】
図２は本願の実施例のデータ伝送方法の模式的なフローチャートである。図２に示される方法は端末装置により実行されてもよく、該端末装置は例えば図１に示される端末装置２０であってもよい。図２に示されるように、該データ伝送方法は以下のステップ２１０〜２４０を含む。
【００４３】
２１０では、端末装置は、第１リソースにおいて第１物理アップリンクチャネルを伝送することを該端末装置に指示する第１シグナリングを受信する。
【００４４】
選択肢として、該第１リソースは第２類データを伝送するためのリソースであり、該第２類データはスケジューリング伝送（ｇｒａｎｔ−ｂａｓｅｄ）に基づくデータである。
【００４５】
例えば、該第１シグナリングはネットワーク装置が端末装置に送信したアップリンク許可情報（ＵＬ  Ｇｒａｎｔ）であってもよく、それにより該アップリンク許可情報が指示するリソースでデータを送信するように端末装置をスケジューリングする。該アップリンク許可情報が指示するリソースは、例えば、時間周波数領域リソース、参照シンボル情報、変調符号化方式、電力制御パラメータ等のリソース情報を含んでもよい。
【００４６】
２２０では、該端末装置は、該第１物理アップリンクチャネルを伝送するための伝送パラメータがプリセット条件を満たすか否かを判断する。
【００４７】
選択肢として、該第１物理アップリンクチャネルの伝送パラメータは、該第１物理アップリンクチャネルにベアリングされるデータのビット数、該第１物理アップリンクチャネルにベアリングされるデータの伝送ブロックサイズ（ＴＢＳ）、該第１リソースの開始時間領域シンボルの位置、該第１リソースの末端時間領域シンボルの位置、該第１物理アップリンクチャネルの占有する時間領域長さ、該第１物理アップリンクチャネルにベアリングされる第２類データが初めて伝送されるデータであるか否かのこと、のうちの少なくともの１つを含む。
【００４８】
ここで、該第１物理アップリンクチャネルにベアリングされるデータのビット数とは、ネットワーク装置が元々スケジューリングしようとするデータのビット数を指し、即ち、第１シグナリングが指示する該第１物理アップリンクチャネルにベアリングされるデータのビット数である。該第１物理アップリンクチャネルにベアリングされるデータのＴＢＳとは、ネットワーク装置が元々スケジューリングしようとするデータのＴＢＳを指し、即ち、第１シグナリングが指示する該第１物理アップリンクチャネルにベアリングされるデータのＴＢＳである。該第１物理アップリンクチャネルにベアリングされる第２類データが初めて伝送されるデータであるか否かとは、ネットワーク装置が元々スケジューリングしようとする第２類データが初めて伝送されるデータであるか否かである。
【００４９】
２２０の後、該端末装置は２３０又は２４０を実行できる。該第１物理アップリンクチャネルを伝送するための伝送パラメータがプリセット条件を満たすと、２３０を実行し、該伝送パラメータが該プリセット条件を満たさないと、２４０を実行する。
【００５０】
２３０では、該伝送パラメータが該プリセット条件を満たすと、該端末装置は、第１類データを該第１物理アップリンクチャネルにベアリングして伝送する。
【００５１】
該第１類データはグラントフリー伝送（ｇｒａｎｔ  ｆｒｅｅ）に基づくデータである。
【００５２】
２４０では、該伝送パラメータが該プリセット条件を満たさないと、該端末装置は該第１類データを第２物理アップリンクチャネルにベアリングして伝送し、該第２物理アップリンクチャネルは第２リソースにおいて伝送される物理アップリンクチャネルである。
【００５３】
選択肢として、該第２リソースは第１類データを伝送するためのリソースであり、即ちグラントフリー伝送用のリソースである。
【００５４】
該端末装置はネットワーク装置から送信された、該第２リソースを指示するための第２シグナリングを受信して、該第２リソースを取得することができ、又は、該第２リソースは該端末装置に予め設定されたものであってもよく、即ち、端末装置とネットワーク装置との間で予め決定されたものである。
【００５５】
具体的に、該端末装置は第１物理アップリンクチャネルの伝送パラメータがプリセット条件を満たさないと判断すると、第１類データを伝送するための第２リソースから、第２物理アップリンクチャネルを選択し、伝送待ちの第１類データを該第２物理アップリンクチャネルにベアリングして伝送する。
【００５６】
該端末装置は該第１物理アップリンクチャネルの伝送パラメータがプリセット条件を満たすと判断すると、伝送待ちの該第１類データを第１シグナリングの指示する該第１物理アップリンクチャネルにベアリングして伝送することができる。このとき、選択肢として、該第１物理アップリンクチャネルにベアリングされるデータのビット数が該第１類データのビット数以上であり、又は、該第１物理アップリンクチャネルにベアリングされるデータの伝送ブロックサイズ（Ｔｒａｎｓｐｏｒｔ  Ｂｌｏｃｋ  Ｓｉｚｅ、ＴＢＳ）が該第１類データのＴＢＳ以上であると、該端末装置は該第１類データと伝送待ちの第２類データを該第１物理アップリンクチャネルに同時にベアリングして伝送することができる。該伝送待ちの第２類データはネットワーク装置が元々スケジューリングしようとするデータであってもよい。
【００５７】
選択肢として、２４０では、該伝送パラメータが該プリセット条件を満たさないと、該端末装置は該第１物理アップリンクチャネルを伝送しなくてもよい。
【００５８】
選択肢として、２４０では、該伝送パラメータが該プリセット条件を満たさないと、該第１物理アップリンクチャネル及び該第２物理アップリンクチャネルの同時送信に用いる総電力が制限されると、該端末装置は該第１物理アップリンクチャネルを伝送せず、又は、該端末装置は該第１物理アップリンクチャネルを伝送するための電力を低下させ、低下後の電力で該第１物理アップリンクチャネルを伝送する。
【００５９】
すなわち、該第１物理アップリンクチャネルの伝送パラメータがプリセット条件を満たさないと、該端末装置は第２リソースにおける第２物理アップリンクチャネルで該第１類データを伝送し、このとき、該第１類データの正常伝送を優先に確保するために、該端末装置は一応第１物理アップリンクチャネルを伝送せず、又は、低い電力で該第１物理アップリンクチャネルを伝送する。
【００６０】
従って、本願の実施例では、該端末装置はネットワーク装置がスケジューリングするリソースを判断し、伝送待ちのグラントフリー伝送に基づくデータをネットワーク装置のスケジューリングするリソースにおいて伝送するか、又は、グラントフリー伝送用のリソースにおいて伝送するかを決定する。ネットワーク装置がスケジューリングするリソースでのデータ伝送は信頼性及び効率が高いため、該端末装置はアップリンク許可情報を受信し、且つ伝送待ちの許可不要な伝送に基づくデータが存在すると、信頼的で効果的な方式でデータ伝送を行うことができ、それにより遅延が低く信頼性が高いサービス伝送ニーズを満たす。
【００６１】
本願の実施例では、該端末装置は該第１物理アップリンクチャネルを伝送するための伝送パラメータがプリセット条件を満たすか否かを判断するとき、
該第１物理アップリンクチャネルにベアリングされるデータのビット数が該第１類データのビット数以上であること、
該第１物理アップリンクチャネルにベアリングされるデータのＴＢＳが該第１類データのＴＢＳ以上であること、
該第１リソースの開始時間領域シンボルの位置と第２リソースの開始時間領域シンボルの位置との間が第１位置関係を満たすこと、
該第１リソースの末端時間領域シンボルの位置と該第２リソースの末端時間領域シンボルの位置との間が第２位置関係を満たすこと、
該第１物理アップリンクチャネルの時間領域長さと該第２物理アップリンクチャネルの時間領域長さとの間が第１長さ関係を満たすこと、
該第１物理アップリンクチャネルにベアリングされる第２類データが初めて伝送されるデータであること、のうちの少なくとも１つのプリセット条件を用いることができる。
【００６２】
選択肢として、該第１位置関係は、該第１リソースの開始時間領域シンボルの位置と該第２リソースの開始時間領域シンボルの位置が同じであること、該第１リソースの開始時間領域シンボルの位置が該第２リソースの開始時間領域シンボルの位置の前に位置し、且つ該第１リソースの開始時間領域シンボルと該第２リソースの開始時間領域シンボルとの間の時間差が第１閾値以下であること、該第１リソースの開始時間領域シンボルの位置が該第２リソースの開始時間領域シンボルの位置の後に位置すること、該第１リソースの開始時間領域シンボルの位置が該第２リソースの開始時間領域シンボルの位置の後に位置し、且つ該第１リソースの開始時間領域シンボルと該第２リソースの開始時間領域シンボルとの間の時間差の絶対値が第２閾値以下であること、のうちのいずれかを含む。
【００６３】
選択肢として、該第２位置関係は、該第１リソースの末端時間領域シンボルの位置と該第２リソースの末端時間領域シンボルの位置が同じであること、該第１リソースの末端時間領域シンボルの位置が該第２リソースの末端時間領域シンボルの位置の後に位置し、且つ該第１リソースの末端時間領域シンボルと該第２リソースの末端時間領域シンボルとの間の時間差が第３閾値以下であること、該第１リソースの末端時間領域シンボルの位置が該第２リソースの末端時間領域シンボルの位置の前に位置すること、該第１リソースの末端時間領域シンボルの位置が該第２リソースの末端時間領域シンボルの位置の前に位置し、且つ該第１リソースの末端時間領域シンボルと該第２リソースの末端時間領域シンボルとの間の時間差の絶対値が第４閾値以下であること、のうちのいずれかを含む。
【００６４】
選択肢として、該第１長さ関係は、該第１物理アップリンクチャネルの時間領域長さと該第２物理アップリンクチャネルの時間領域長さが同じであること、該第１物理アップリンクチャネルの時間領域長さと該第２物理アップリンクチャネルの時間領域長さとの差が第５閾値以上であって第６閾値以下であること、のうちのいずれかを含む。
【００６５】
選択肢として、該端末装置が該第１物理アップリンクチャネルを伝送するための伝送パラメータがプリセット条件を満たすか否かを判断する前に、該方法は、該端末装置は閾値情報を指示するための指示情報を受信すること、又は、該端末装置は該端末装置に予め記憶される該閾値情報を取得することを更に含む。該閾値情報は、第１閾値、第２閾値、第３閾値、第４閾値、第５閾値及び第６閾値のうちの少なくとも１つを含む。
【００６６】
図３に示される第１リソース及び第２リソースを例として、該プリセット条件は、該第１リソースの開始時間領域シンボルの位置と第２リソースの開始時間領域シンボルの位置が同じであり、且つ該第１リソースの末端時間領域シンボルの位置と該第２リソースの末端時間領域シンボルの位置が同一であることであると仮定する。該第１リソースはネットワーク装置が第１シグナリングによって指示した第１物理アップリンクチャネルの所在するリソースであり、該第２リソースはグラントフリー伝送用のリソースである。それで分かるように、該第１リソースと該第２リソースの占有する時間領域リソースが同じであるため、該プリセット条件を満たすと、該端末装置は伝送待ちの該第１類データ、即ちグラントフリー伝送のデータを該第１物理アップリンクチャネルにベアリングして伝送することができる（太い黒フレームに示される）。
【００６７】
また、図４に示される第１リソース及び第２リソースを例として、該プリセット条件は、該第１リソースの開始時間領域シンボルの位置と第２リソースの開始時間領域シンボルの位置が同じであることであり、又は、該プリセット条件は、該第１リソースの開始時間領域シンボルの位置が第２リソースの開始時間領域シンボルの位置の後に位置し、且つ該第１リソースの末端時間領域シンボルの位置が該第２リソースの末端時間領域シンボルの位置の前に位置することであると仮定する。該第１リソースはネットワーク装置が第１シグナリングによって指示した第１物理アップリンクチャネルの所在するリソースであり、該第２リソースはグラントフリー伝送用のリソースであり、且つグラントフリー伝送のデータは該第２リソースに含まれる複数のサブリソースで重複送信される。それで分かるように、該第１リソースと該第２リソースとの間が該プリセット条件を満たすため、該端末装置は伝送待ちの該第１類データ、即ちグラントフリー伝送のデータを該第１物理アップリンクチャネルにベアリングして伝送することができる（太い黒フレームに示される）。
【００６８】
なお、本願の様々な実施例では、上記各プロセスの番号の大きさは実行順序を意味するものではなく、各プロセスの実行順序はその機能及び内部論理によって決定されるべきであり、本願の実施例の実施プロセスを限定するものではない。
【００６９】
以上では本願の実施例によるデータ伝送方法について詳細に説明し、以下、図５及び図６を参照しながら、本願の実施例による装置について説明し、方法実施例で説明される技術的特徴は以下の装置実施例に適用される。
【００７０】
図５は本願の実施例による端末装置５００の模式的なブロック図である。図５に示されるように、該端末装置５００は受送信ユニット５１０と処理ユニット５２０を備え、
受送信ユニット５１０は、第１リソースにおいて第１物理アップリンクチャネルを伝送することを前記端末装置に指示する第１シグナリングを受信することに用いられ、
処理ユニット５２０は、前記第１物理アップリンクチャネルを伝送するための伝送パラメータがプリセット条件を満たすか否かを判断することに用いられ、
前記受送信ユニット５１０は更に、前記伝送パラメータが前記プリセット条件を満たすと、グラントフリー伝送に基づくデータである第１類データを前記第１物理アップリンクチャネルにベアリングして伝送することに用いられる。
【００７１】
従って、該端末装置はネットワーク装置がスケジューリングするリソースを判断して、伝送待ちのグラントフリー伝送に基づくデータをネットワーク装置のスケジューリングするリソースにおいて伝送するか、又は、グラントフリー伝送用のリソースにおいて伝送するかを決定する。ネットワーク装置がスケジューリングするリソースでのデータ伝送は信頼性及び効率が高いため、該端末装置はアップリンク許可情報を受信し、且つ伝送待ちの許可不要な伝送に基づくデータが存在すると、信頼的で効果的な方式でデータ伝送を行うことができ、それにより遅延が低く信頼性が高いサービス伝送ニーズを満たす。
【００７２】
選択肢として、前記第１リソースは第２類データを伝送するためのリソースであり、前記第２類データはスケジューリング伝送に基づくデータである。
【００７３】
選択肢として、前記第１物理アップリンクチャネルの伝送パラメータは、前記第１物理アップリンクチャネルにベアリングされるデータのビット数、前記第１物理アップリンクチャネルにベアリングされるデータの伝送ブロックサイズ（ＴＢＳ）、前記第１リソースの開始時間領域シンボルの位置、前記第１リソースの末端時間領域シンボルの位置、前記第１物理アップリンクチャネルの占有する時間領域長さ、及び前記第１物理アップリンクチャネルにベアリングされる第２類データが初めて伝送されるデータであるか否かのこと、のうちの少なくとも１つを含む。
【００７４】
選択肢として、前記受送信ユニット５１０は更に、前記伝送パラメータが前記プリセット条件を満たさないと、第２リソースにおいて伝送される物理アップリンクチャネルである第２物理アップリンクチャネルに前記第１類データをベアリングして伝送することに用いられる。
【００７５】
選択肢として、前記受送信ユニット５１０は更に、前記第１物理アップリンクチャネルを伝送しないことに用いられる。
【００７６】
選択肢として、前記第１物理アップリンクチャネル及び前記第２物理アップリンクチャネルの同時送信に用いる総電力が制限されると、前記受送信ユニット５１０は更に、前記第１物理アップリンクチャネルを伝送しないこと、又は、前記第１物理アップリンクチャネルを伝送するための電力を低下させ、低下後の電力で前記第１物理アップリンクチャネルを伝送することに用いられる。
【００７７】
選択肢として、前記受送信ユニット５１０は更に、前記第２リソースを指示するための第２シグナリングを受信することに用いられる。
【００７８】
選択肢として、前記プリセット条件は、前記第１物理アップリンクチャネルにベアリングされるデータのビット数が前記第１類データのビット数以上であること、前記第１物理アップリンクチャネルにベアリングされるデータのＴＢＳが前記第１類データのＴＢＳ以上であること、前記第１リソースの開始時間領域シンボルの位置と第２リソースの開始時間領域シンボルの位置との間が第１位置関係を満たすこと、前記第１リソースの末端時間領域シンボルの位置と前記第２リソースの末端時間領域シンボルの位置との間が第２位置関係を満たすこと、前記第１物理アップリンクチャネルの時間領域長さと前記第２物理アップリンクチャネルの時間領域長さとの間が第１長さ関係を満たすこと、前記第１物理アップリンクチャネルにベアリングされる第２類データが初めて伝送されるデータであること、のうちの少なくとも１つを含む。
【００７９】
選択肢として、前記第１位置関係は、前記第１リソースの開始時間領域シンボルの位置と前記第２リソースの開始時間領域シンボルの位置が同じであること、前記第１リソースの開始時間領域シンボルの位置が前記第２リソースの開始時間領域シンボルの位置の前に位置し、且つ前記第１リソースの開始時間領域シンボルと前記第２リソースの開始時間領域シンボルとの間の時間差が第１閾値以下であること、前記第１リソースの開始時間領域シンボルの位置が前記第２リソースの開始時間領域シンボルの位置の後に位置すること、前記第１リソースの開始時間領域シンボルの位置が前記第２リソースの開始時間領域シンボルの位置の後に位置し、且つ前記第１リソースの開始時間領域シンボルと前記第２リソースの開始時間領域シンボルとの間の時間差の絶対値が第２閾値以下であること、のうちのいずれかを含む。
【００８０】
選択肢として、前記第２位置関係は、前記第１リソースの末端時間領域シンボルの位置と前記第２リソースの末端時間領域シンボルの位置が同じであること、前記第１リソースの末端時間領域シンボルの位置が前記第２リソースの末端時間領域シンボルの位置の後に位置し、且つ前記第１リソースの末端時間領域シンボルと前記第２リソースの末端時間領域シンボルとの間の時間差が第３閾値以下であること、前記第１リソースの末端時間領域シンボルの位置が前記第２リソースの末端時間領域シンボルの位置の前に位置すること、前記第１リソースの末端時間領域シンボルの位置が前記第２リソースの末端時間領域シンボルの位置の前に位置し、且つ前記第１リソースの末端時間領域シンボルと前記第２リソースの末端時間領域シンボルとの間の時間差の絶対値が第４閾値以下であること、のうちのいずれかを含む。
【００８１】
選択肢として、前記第１長さ関係は、前記第１物理アップリンクチャネルの時間領域長さと前記第２物理アップリンクチャネルの時間領域長さが同じであること、前記第１物理アップリンクチャネルの時間領域長さと前記第２物理アップリンクチャネルの時間領域長さとの差が第５閾値以上であって第６閾値以下であること、のうちのいずれかを含む。
【００８２】
選択肢として、前記処理ユニット５２０は更に、前記受送信ユニット５１０によって、閾値情報を指示するための指示情報を受信すること、又は、前記端末装置に予め記憶される前記閾値情報を取得することに用いられ、前記閾値情報は、第１閾値、第２閾値、第３閾値、第４閾値、第５閾値及び第６閾値のうちの少なくとも１つを含む。
【００８３】
選択肢として、前記第１物理アップリンクチャネルにベアリングされるデータのビット数が前記第１類データのビット数以上であり、又は、前記第１物理アップリンクチャネルにベアリングされるデータのＴＢＳが前記第１類データのＴＢＳ以上であると、前記受送信ユニット５１０は具体的に、前記第１類データと第２類データを前記第１物理アップリンクチャネルに同時にベアリングして伝送することに用いられる。
【００８４】
なお、該端末装置５００は上記方法実施例における端末装置により実行される方法２００に対応する操作を実行することができ、簡明のために、ここで繰り返して説明しない。
【００８５】
図６は本願の実施例による端末装置６００の構造模式図である。図６に示されるように、該端末装置はプロセッサ６１０、送受信機６２０及びメモリ６３０を備え、該プロセッサ６１０、送受信機６２０及びメモリ６３０の間には内部接続通路を介して相互に通信する。該メモリ６３０は命令を記憶することに用いられ、該プロセッサ６１０は該メモリ６３０に記憶される命令を実行して、該送受信機６２０による信号の受送信を制御することに用いられる。
【００８６】
選択肢として、該プロセッサ６１０はメモリ６３０に記憶されるプログラムコードを呼び出して、方法実施例における端末装置により実行される方法２００に対応する操作を実行することができ、簡明のために、ここで繰り返して説明しない。
【００８７】
なお、本願の実施例のプロセッサは信号の処理能力を有する集積回路チップであってもよい。実施プロセスでは、上記方法実施例の各ステップはプロセッサにおけるハードウェアの集成論理回路又はソフトウェア形態の命令で遂行することができる。上記プロセッサは汎用プロセッサ、デジタル信号プロセッサ（Ｄｉｇｉｔａｌ  Ｓｉｇｎａｌ  Ｐｒｏｃｅｓｓｏｒ、ＤＳＰ）、専用集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又は他のプログラマブルロジックデバイス、離散ゲート又はトランジスタロジックデバイス、離散ハードウェアユニットであってもよい。本願の実施例に開示されている各方法、ステップ及びロジックブロック図を実現又は実行することができる。汎用プロセッサはマイクロプロセッサーであってもよく、又は、いかなる通常のプロセッサ等であってもよい。本願の実施例に開示されている方法のステップは、ハードウェアデコードプロセッサによる遂行、又は、デコードプロセッサにおけるハードウェア及びソフトウェアモジュールの組合せによる遂行として直接に具現されてもよい。ソフトウェアモジュールはランダムアクセスメモリ、フラッシュメモリ、読み出し専用メモリ、プログラマブル読み出し専用メモリ又は電気的に消去可能なプログラマブルメモリ、レジスタ等の本分野の成熟した記憶媒体に位置してもよい。該記憶媒体はメモリに位置し、プロセッサはメモリにおける情報を読み取り、そのハードウェアと組み合わせて上記方法のステップを遂行する。
【００８８】
理解できるように、本願の実施例におけるメモリは揮発性メモリ又は不揮発性メモリであってもよく、又は、揮発性及び不揮発性メモリの両方を含んでもよい。不揮発性メモリは読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能なプログラマブル読み出し専用メモリ（Ｅｒａｓａｂｌｅ  ＰＲＯＭ、ＥＰＲＯＭ）、電気的に消去可能なプログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリは外部バッファとするランダムアクセスメモリ（Ｒａｎｄｏｍ  Ａｃｃｅｓｓ  Ｍｅｍｏｒｙ、ＲＡＭ）であってもよい。制限的でなく例示的な説明により、多くの形態のＲＡＭ、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、強化同期ダイナミックランダムアクセスメモリ（Ｅｎｈａｎｃｅｄ  ＳＤＲＡＭ、ＥＳＤＲＡＭ）、同期接続ダイナミックランダムアクセスメモリ（Ｓｙｎｃｈｌｉｎｋ  ＤＲＡＭ、ＳＬＤＲＡＭ）及びダイレクトメモリーバスランダムアクセスメモリ（Ｄｉｒｅｃｔ  Ｒａｍｂｕｓ  ＲＡＭ、ＤＲ  ＲＡＭ）は使用可能である。なお、本明細書に記載のシステムと方法のメモリは、これらといずれかの他の適切なタイプのメモリを含むがこれらに限定されないことを図る。
【００８９】
図７は本願の実施例のシステムチップの構造模式図である。図７のシステムチップ７００は入力インターフェース７０１、出力インターフェース７０２、少なくとも１つのプロセッサ７０３、及びメモリ７０４を備え、前記入力インターフェース７０１、出力インターフェース７０２、前記プロセッサ７０３及びメモリ７０４の間には内部接続通路を介して相互に接続される。前記プロセッサ７０３は前記メモリ７０４におけるコードを実行することに用いられる。
【００９０】
選択肢として、前記コードが実行されるとき、前記プロセッサ７０３は方法実施例における端末装置により実行される方法２００を実現できる。簡明のために、ここで繰り返して説明しない。
【００９１】
理解されるように、本発明の実施例では、「Ａに対応するＢ」とは、ＢがＡと関連付けられており、Ａに基づいてＢを決定できることを示す。ただし、Ａに基づいてＢを決定することは、Ｂの決定がＡに基づくものだけであることを意味せず、Ａ及び／又は他の情報に基づいてＢを決定してもよい。
【００９２】
更に、本明細書における「及び／又は」という用語は、関連対象を説明する関連関係のものに過ぎず、３種の関係が存在し得ることを表す。例えば、Ａ及び／又はＢは、Ａが独立して存在すること、ＡとＢが同時に存在すること、Ｂが独立して存在することの３種の状況を表すことができる。また、本明細書における文字「／」は通常、前後の関連対象が「又は」の関係であることを表す。
【００９３】
当業者が理解できるように、本明細書に開示されている実施例に説明されている各例示のユニット及びアルゴリズムステップは、電子ハードウェア、又はコンピュータソフトウェア及び電子ハードウェアの組み合わせによって実現されてもよい。これらの機能がハードウェア又はソフトウェアにより実行されるかは、技術案の特定の応用及び設計上の制約条件に決められる。当業者は各特定の応用に対して異なる方法で、説明されている機能を実現してもよいが、このような実現は本願の範囲を超えると見なされるべきではない。
【００９４】
当業者であれば明白に理解できるように、説明を簡便で簡潔にする目的で、前述したシステム、装置、及びユニットの詳細な動作プロセスについては、前述した方法の実施例における対応のプロセスを参照でき、ここで繰り返して説明しない。
【００９５】
本願に係る幾つかの実施例において、理解されるように、開示されるシステム、装置及び方法は他の方式で実現されてもよい。例えば、上記の装置実施例は単に模式的なものであり、例えば、該ユニットの区分は論理的な機能区分に過ぎず、実際の実施では別の区分方式があってもよく、例えば、複数のユニット又はコンポーネントが組み合わせられてもよく、又は別のシステムに統合されてもよく、又は一部の特徴が省略されてもよく、又は実行されなくてもよい。一方、表示又は検討される相互間の結合又は直接結合又は通信接続は、幾つかのインターフェース、装置又はユニットを介した間接結合又は通信接続であってもよく、電気的、機械的、又は他の形態であってもよい。
【００９６】
分離部材として説明された前記ユニットは物理的に分離したものであってもでなくてもよく、ユニットとして表示された部材は物理ユニットであってもよく、物理ユニットでなくてもよく、即ち、一箇所に位置してもよく、複数のネットワークユニットに分散されてもよい。実際の需要に応じてその一部又は全部のユニットを選択して、本実施例案の目的を実現してもよい。
【００９７】
また、本発明の各実施例において、各機能ユニットは１つの監視ユニットに統合されてもよく、各ユニットは独立して物理的に存在してもよく、２つ以上のユニットが１つのユニットに統合されてもよい。
【００９８】
前記機能がソフトウェア機能ユニットの形で実現され、そして独立した製品として販売又は使用される場合、１つのコンピュータ可読記憶媒体に記憶されてもよい。このような理解に基づいて、本願の技術案の本質又は従来技術に貢献する部分、又は該技術案の一部はソフトウェア製品の形式で具現されてもよく、該コンピュータソフトウェア製品は１つの記憶媒体に記憶され、１台のコンピュータ装置（パーソナルコンピュータ、サーバ又はネットワーク装置等であってもよい）に本願の各実施例の全部又は一部のステップを実行させるための若干の命令を含む。前述の記憶媒体はＵＳＢディスク、リムーバブルハードディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等のプログラムコードを記憶できる各種の媒体を含む。
【００９９】
以上の説明は本願の具体的な実施形態に過ぎず、本願の保護範囲を制限するためのものではなく、当業者が本願に開示される技術的範囲内において容易に想到し得る変更や置換は、いずれも本願の保護範囲内に含まれるべきである。従って、本願の保護範囲は特許請求の範囲に記載の保護範囲に準じるべきである。
【図１】
2021512518.tif 000003
【図２】
2021512518.tif 000004
【図３】
2021512518.tif 000005
【図４】
2021512518.tif 000006
【図５】
2021512518.tif 000007
【図６】
2021512518.tif 000008
【図７】
2021512518.tif 000009
【手続補正書】
【提出日】令和2年11月16日(2020.11.16)
【手続補正１】
【補正対象書類名】明細書
【補正対象項目名】０００６
【補正方法】変更
【補正の内容】
【０００６】
従って、該端末装置はネットワーク装置がスケジューリングするリソースを判断することで、伝送待ちのグラントフリー伝送に基づくデータを、ネットワーク装置がスケジューリングするリソースにおいて伝送するか、又は、グラントフリー伝送用のリソースにおいて伝送するかを決定し、それにより、該端末装置はアップリンク許可情報を受信し、且つグラントフリー伝送用のリソースが存在する場合、リソースを柔軟に選択して、データ伝送を効果的に行うことができ、それにより、遅延が低く信頼性が高いサービス伝送のニーズを満たす。
【手続補正２】
【補正対象書類名】明細書
【補正対象項目名】００４１
【補正方法】変更
【補正の内容】
【００４１】
本願の実施例は、ネットワーク装置がスケジューリングするリソースを判断することで、伝送待ちのグラントフリー伝送に基づくデータをネットワーク装置のスケジューリングするリソースにおいて伝送するか、又は、グラントフリー伝送用のリソースにおいて伝送するかを決定する。ネットワーク装置がスケジューリングするリソースでのデータ伝送は信頼性及び効率が高いため、該端末装置はアップリンク許可情報を受信し、且つ伝送待ちのグラントフリー伝送に基づくデータが存在すると、信頼的で効果的な方式でデータ伝送を行うことができ、それにより遅延が低く信頼性が高いサービス伝送ニーズを満たす。
【手続補正３】
【補正対象書類名】明細書
【補正対象項目名】００６０
【補正方法】変更
【補正の内容】
【００６０】
従って、本願の実施例では、該端末装置はネットワーク装置がスケジューリングするリソースを判断し、伝送待ちのグラントフリー伝送に基づくデータをネットワーク装置のスケジューリングするリソースにおいて伝送するか、又は、グラントフリー伝送用のリソースにおいて伝送するかを決定する。ネットワーク装置がスケジューリングするリソースでのデータ伝送は信頼性及び効率が高いため、該端末装置はアップリンク許可情報を受信し、且つ伝送待ちのグラントフリー伝送に基づくデータが存在すると、信頼的で効果的な方式でデータ伝送を行うことができ、それにより遅延が低く信頼性が高いサービス伝送ニーズを満たす。
【手続補正４】
【補正対象書類名】明細書
【補正対象項目名】００７１
【補正方法】変更
【補正の内容】
【００７１】
従って、該端末装置はネットワーク装置がスケジューリングするリソースを判断して、伝送待ちのグラントフリー伝送に基づくデータをネットワーク装置のスケジューリングするリソースにおいて伝送するか、又は、グラントフリー伝送用のリソースにおいて伝送するかを決定する。ネットワーク装置がスケジューリングするリソースでのデータ伝送は信頼性及び効率が高いため、該端末装置はアップリンク許可情報を受信し、且つ伝送待ちのグラントフリー伝送に基づくデータが存在すると、信頼的で効果的な方式でデータ伝送を行うことができ、それにより遅延が低く信頼性が高いサービス伝送ニーズを満たす。
【手続補正５】
【補正対象書類名】特許請求の範囲
【補正対象項目名】全文
【補正方法】変更
【補正の内容】
【特許請求の範囲】
【請求項１】
端末装置は、第１リソースにおいて第１物理アップリンクチャネルを伝送することを前記端末装置に指示する第１シグナリングを受信することと、
前記端末装置は、前記第１物理アップリンクチャネルを伝送するための伝送パラメータがプリセット条件を満たすか否かを判断することと、
前記伝送パラメータが前記プリセット条件を満たすと、前記端末装置は、グラントフリー伝送に基づくデータである第１類データを前記第１物理アップリンクチャネルにベアリングして伝送することと、を含むことを特徴とするデータ伝送方法。
【請求項２】
前記第１物理アップリンクチャネルの伝送パラメータは、
前記第１物理アップリンクチャネルにベアリングされるデータのビット数、前記第１物理アップリンクチャネルにベアリングされるデータの伝送ブロックサイズ（ＴＢＳ）、前記第１リソースの開始時間領域シンボルの位置、前記第１リソースの末端時間領域シンボルの位置、前記第１物理アップリンクチャネルの占有する時間領域長さ、及び前記第１物理アップリンクチャネルにベアリングされる第２類データが初めて伝送されるデータであるか否かのこと、のうちの少なくとも１つを含むことを特徴とする請求項１に記載の方法。
【請求項３】
前記伝送パラメータが前記プリセット条件を満たさないと、前記端末装置は、第２リソースにおいて伝送される物理アップリンクチャネルである第２物理アップリンクチャネルに前記第１類データをベアリングして伝送することを更に含むことを特徴とする請求項１又は２に記載の方法。
【請求項４】
前記プリセット条件は、
前記第１物理アップリンクチャネルにベアリングされるデータのビット数が前記第１類データのビット数以上であること、
前記第１物理アップリンクチャネルにベアリングされるデータのＴＢＳが前記第１類データのＴＢＳ以上であること、
前記第１リソースの開始時間領域シンボルの位置と第２リソースの開始時間領域シンボルの位置との間が第１位置関係を満たすこと、
前記第１リソースの末端時間領域シンボルの位置と前記第２リソースの末端時間領域シンボルの位置との間が第２位置関係を満たすこと、
前記第１物理アップリンクチャネルの時間領域長さと前記第２物理アップリンクチャネルの時間領域長さとの間が第１長さ関係を満たすこと、
前記第１物理アップリンクチャネルにベアリングされる第２類データが初めて伝送されるデータであること、のうちの少なくとも１つを含むことを特徴とする請求項１〜３のいずれか１項に記載の方法。
【請求項５】
前記第１位置関係は、
前記第１リソースの開始時間領域シンボルの位置と前記第２リソースの開始時間領域シンボルの位置が同じであること、
前記第１リソースの開始時間領域シンボルの位置が前記第２リソースの開始時間領域シンボルの位置の前に位置し、且つ前記第１リソースの開始時間領域シンボルと前記第２リソースの開始時間領域シンボルとの間の時間差が第１閾値以下であること、
前記第１リソースの開始時間領域シンボルの位置が前記第２リソースの開始時間領域シンボルの位置の後に位置すること、
前記第１リソースの開始時間領域シンボルの位置が前記第２リソースの開始時間領域シンボルの位置の後に位置し、且つ前記第１リソースの開始時間領域シンボルと前記第２リソースの開始時間領域シンボルとの間の時間差の絶対値が第２閾値以下であること、のうちのいずれかを含むことを特徴とする請求項４に記載の方法。
【請求項６】
前記第２位置関係は、
前記第１リソースの末端時間領域シンボルの位置と前記第２リソースの末端時間領域シンボルの位置が同じであること、
前記第１リソースの末端時間領域シンボルの位置が前記第２リソースの末端時間領域シンボルの位置の後に位置し、且つ前記第１リソースの末端時間領域シンボルと前記第２リソースの末端時間領域シンボルとの間の時間差が第３閾値以下であること、
前記第１リソースの末端時間領域シンボルの位置が前記第２リソースの末端時間領域シンボルの位置の前に位置すること、
前記第１リソースの末端時間領域シンボルの位置が前記第２リソースの末端時間領域シンボルの位置の前に位置し、且つ前記第１リソースの末端時間領域シンボルと前記第２リソースの末端時間領域シンボルとの間の時間差の絶対値が第４閾値以下であること、のうちのいずれかを含むことを特徴とする請求項４又は５に記載の方法。
【請求項７】
前記第１長さ関係は、
前記第１物理アップリンクチャネルの時間領域長さと前記第２物理アップリンクチャネルの時間領域長さが同じであること、
前記第１物理アップリンクチャネルの時間領域長さと前記第２物理アップリンクチャネルの時間領域長さとの差が第５閾値以上であって第６閾値以下であること、のうちのいずれかを含むことを特徴とする請求項４〜６のいずれか１項に記載の方法。
【請求項８】
前記グラントフリー伝送はタイプ１の伝送とタイプ２の伝送を含み、前記タイプ１の伝送をＲＲＣシグナリングによってマッチングして設定し、前記タイプ２の伝送をＲＲＣシグナリングによって設定して物理層シグナリングによってアクティベーションすることを特徴とする請求項１〜７のいずれか１項に記載の方法。
【請求項９】
端末装置であって、
第１リソースにおいて第１物理アップリンクチャネルを伝送することを前記端末装置に指示する第１シグナリングを受信することに用いられる受送信ユニットと、
前記第１物理アップリンクチャネルを伝送するための伝送パラメータがプリセット条件を満たすか否かを判断することに用いられる処理ユニットと、を備え、
前記受送信ユニットは更に、前記伝送パラメータが前記プリセット条件を満たすと、グラントフリー伝送に基づくデータである第１類データを前記第１物理アップリンクチャネルにベアリングして伝送することに用いられることを特徴とする端末装置。
【請求項１０】
前記第１リソースは第２類データを伝送するためのリソースであり、前記第２類データはスケジューリング伝送に基づくデータであることを特徴とする請求項９に記載の端末装置。
【請求項１１】
前記第１物理アップリンクチャネルの伝送パラメータは、
前記第１物理アップリンクチャネルにベアリングされるデータのビット数、前記第１物理アップリンクチャネルにベアリングされるデータの伝送ブロックサイズ（ＴＢＳ）、前記第１リソースの開始時間領域シンボルの位置、前記第１リソースの末端時間領域シンボルの位置、前記第１物理アップリンクチャネルの占有する時間領域長さ、及び前記第１物理アップリンクチャネルにベアリングされる第２類データが初めて伝送されるデータであるか否かのこと、のうちの少なくとも１つを含むことを特徴とする請求項９又は１０に記載の端末装置。
【請求項１２】
前記受送信ユニットは更に、
前記伝送パラメータが前記プリセット条件を満たさないと、第２リソースにおいて伝送される物理アップリンクチャネルである第２物理アップリンクチャネルに前記第１類データをベアリングして伝送することに用いられることを特徴とする請求項９〜１１のいずれか１項に記載の端末装置。
【請求項１３】
前記受送信ユニットは更に、
前記第２リソースを指示するための第２シグナリングを受信することに用いられることを特徴とする請求項１２に記載の端末装置。
【請求項１４】
前記第１物理アップリンクチャネルにベアリングされるデータのビット数が前記第１類データのビット数以上であり、又は、前記第１物理アップリンクチャネルにベアリングされるデータのＴＢＳが前記第１類データのＴＢＳ以上であると、前記受送信ユニットは具体的に、
前記第１類データと第２類データを前記第１物理アップリンクチャネルに同時にベアリングして伝送することに用いられることを特徴とする請求項９〜１３のいずれか１項に記載の端末装置。
【請求項１５】
前記グラントフリー伝送はタイプ１の伝送とタイプ２の伝送を含み、前記タイプ１の伝送をＲＲＣシグナリングによってマッチングして設定し、前記タイプ２の伝送をＲＲＣシグナリングによって設定して物理層シグナリングによってアクティベーションすることを特徴とする請求項９〜１４のいずれか１項に記載の端末装置。
【国際調査報告】
2021512518.tif 000010
2021512518.tif 000011
2021512518.tif 000012
2021512518.tif 000013